(57)【要約】【課題】芳香等放出容器の揮化気体放出窓孔を極めて簡易な操作で開閉自在に設けた。【解決手段】芳香等放出容器体外周から起立させた支持筒２１の上端面を、テーパ状に形成された第１、第２頂板３２，４２　を上下に重ね、かつ外周部を接合させた第１頂板付きの第１蓋体３１と第２頂板付きの第２蓋体４１とで閉塞させ、第１頂板頂部に穿設した第１窓孔３３を挿通させて第２頂板頂部から把手４４を起立させると共に、第２頂板外周部と把手下端外周部とに第１、第２肉薄ヒンジ４９，５０　を周設させ、上記把手押下げと引上げによる上記両ヒンジ間の第２頂板部分の弾性反転で開閉される第２窓孔３４と第３窓孔５１とを第１頂板３２と第２頂板４２とに穿設した。【選択図】　図２
2004113604.tif 000002
【特許請求の範囲】
【請求項１】
液体揮発装置付き容器体１の外周面へ、下方筒部を嵌着させて支持筒２１を起立させると共に、
該支持筒の上端面を、テーパ状に形成された第１、第２頂板３２，４２　を上下に重ね、かつこれ等両頂板外周部を接合させた、第１頂板付きの第１蓋体３１と、第２頂板付きの第２蓋体４１とで閉塞させ、
それ等両蓋体は、第１頂板頂部に穿設された第１窓孔３３内へ挿通させて第２頂板４２頂部から把手４４を起立させると共に、第２頂板外周部と把手下端外周部とに第１、第２肉薄ヒンジ４９，５０　を周設させ、
又第１頂板３２と第２頂板４２とには、上記把手４４の押下げと引上げによる上記両肉薄ヒンジ間の第２頂板部分の弾性反転により、第１頂板で開閉される第３窓孔５１を第２頂板４２に、かつ第２頂板により開閉される第２窓孔３４を第１頂板３２に、それぞれ穿設した
ことを特徴とする芳香等放出容器。
【請求項２】
第１頂板３２の外周部からは内外両筒３６，３５　を垂下させると共に、第２頂板４２の外周部は、外向きフランジ４７を上端外周に有する断面凹字形状部４８に形成して、該断面凹字形状部上面に形成された凹溝内へ上記内筒３６を、かつ内外両筒３６，３５　間上部に外向きフランジ４７を、それぞれ嵌着させ、又外向きフランジ４７下方の外筒３５内面部分と断面凹字形状部４８外周面との間に、上記支持筒２１の上端部を嵌着させ、
第１肉薄ヒンジ４９は、断面凹字形状部４８の内周部上端部へ周設させた
ことを特徴とする、請求項１記載の芳香等放出容器。
【請求項３】
上記支持筒２１の上部に、第４窓孔２６を穿設した
ことを特徴とする、請求項１又は２記載の芳香等放出容器。
【請求項４】
胴部２上端から肩部３を介して口頸部４を起立する容器体１の口頸部内面へ、吸上げ芯材１０を垂下する筒状栓６を嵌合させると共に、容器体胴部２の上部外径を小外径部２ａとして支持筒２１の下方筒部を嵌着させ、又該支持筒２１の中間部内面から支持部２２を内方突出させておき、
上記吸上げ芯材１０上端面へ下面を接して筒状栓６上面へ載置させた吸水性パッド１１の外周部下面を支持部上面で支持させた
ことを特徴とする、請求項１、２又は３記載の芳香等放出容器。
【発明の詳細な説明】
【０００１】
【発明の属する技術分野】
本発明は芳香等放出容器に関する。
【０００２】
【従来の技術】
従来種々の芳香又消臭香等放出容器が知られており、例えば特開２００１−２９９８９４　号は、容器体口頸部上端面へ載置させた吸水性パッドから容器体内へ液体吸上げ芯材を垂下させて、容器体内の芳香液等を上記芯材を介して吸水性パッドへ吸上げ、揮化させている。
【０００３】
【発明が解決しようとする課題】
上記容器からの芳香等の放出は、容器体内の揮発性液体内に吸上げ芯材が浸されている間は常時行われることとなって、上記従来例であれば、キャップ等を容器体口頸部外面へ嵌合させてパッドを密封しない限り放出を継続する。
【０００４】
しかし時には芳香等放出が不要となる場合もあるから、このような場合は簡易な操作で芳香等放出を停止できることが、又芳香等の放出量を減らすことが可能であることが望ましい。
【０００５】
本発明は芳香等放出の停止、又減少等の操作が容易に行えるよう設けたものである。
【０００６】
【課題を解決するための手段】
第１の手段として液体揮発装置付き容器体１の外周面へ、下方筒部を嵌着させて支持筒２１を起立させると共に、
該支持筒の上端面を、テーパ状に形成された第１、第２頂板３２，４２　を上下に重ね、かつこれ等両頂板外周部を接合させた、第１頂板付きの第１蓋体３１と、第２頂板付きの第２蓋体４１とで閉塞させ、
それ等両蓋体は、第１頂板頂部に穿設された第１窓孔３３内へ挿通させて第２頂板４２頂部から把手４４を起立させると共に、第２頂板外周部と把手下端外周部とに第１、第２肉薄ヒンジ４９，５０　を周設させ、
又第１頂板３２と第２頂板４２とには、上記把手４４の押下げと引上げによる上記両肉薄ヒンジ間の第２頂板部分の弾性反転により、第１頂板で開閉される第３窓孔５１を第２頂板４２に、かつ第２頂板により開閉される第２窓孔３４を第１頂板３２に、それぞれ穿設した。
【０００７】
第２の手段として、上記第１の手段を有すると共に第１頂板３２の外周部からは内外両筒３６，３５　を垂下させると共に、第２頂板４２の外周部は、外向きフランジ４７を上端外周に有する断面凹字形状部４８に形成して、該断面凹字形状部上面に形成された凹溝内へ上記内筒３６を、かつ内外両筒３６，３５　間上部に外向きフランジ４７を、それぞれ嵌着させ、又外向きフランジ４７下方の外筒３５内面部分と断面凹字形状部４８外周面との間に、上記支持筒２１の上端部を嵌着させ、
第１肉薄ヒンジ４９は、断面凹字形状部４８の内周部上端部へ周設させた。
【０００８】
第３の手段として、上記第１、又は第２の手段を有すると共に上記支持筒２１の上部に、第４窓孔２６を穿設した。
【０００９】
第４の手段として、上記第１、第２又は第３の手段を有すると共に胴部２上端から肩部３を介して口頸部４を起立する容器体１の口頸部内面へ、吸上げ芯材１０を垂下する筒状栓６を嵌合させると共に、容器体胴部２の上部外径を小外径部２ａとして支持筒２１の下方筒部を嵌着させ、又該支持筒２１の中間部内面から支持部２２を内方突出させておき、
上記吸上げ芯材１０上端面へ下面を接して筒状栓６上面へ載置させた吸水性パッド１１の外周部下面を支持部上面で支持させた。
【００１０】
【発明の実施の形態】
以下図面について説明すると、１は有底の容器体で、胴部２上端から肩部３を介して口頸部４を起立する。その胴部上端部は後述支持筒の下部嵌合用として小外径部２ａとしている。
【００１１】
上記口頸部４内へは、吸上げ芯材１０付きの筒状栓６を嵌合させている。該筒状栓は、口頸部内面へ嵌合させる栓筒部７の上端に外向きフランジ８を付設して、該外向きフランジを口頸部上端面上に載置させており、又上記栓筒部７の中間部内面からは弾性を有する挟持筒９を垂下させ、該挟持筒に挿通させて吸上げ芯材１０を容器体内底部まで垂下させている。
【００１２】
又上記吸上げ芯材１０上端面へ下面を接して、外向きフランジ８上面へ吸水性のパッド１１ないしマットを載置させている。
【００１３】
２１は支持筒で、該支持筒の下方筒部を容器体胴部の小外径部２ａ外面へ嵌着させ、容器体上方まで起立させている。該支持筒は中間部内面から支持部２２を内方突出させている。図示例ではその支持部を支持筒内面から突出させた支持杆２３先端で短筒２４を保持させ、その短筒上端面を既述外向きフランジ８上端面とほぼ同一高さに設けて、その短筒上端面へパッド１１の外周部を載置させ、パッド外周面は支持筒２１内面へ当接ないし近接させている。
【００１４】
又支持筒２１の上部には複数の縦長の第４窓孔２６を穿設している。更に支持筒上端部は小外径部とし、その上端部外面へ第１係合突条２５を周設している。
【００１５】
３１は、上記支持筒２１の上端開口面を閉塞する第１蓋板で、該第１蓋板は、上方小径のテーパ状に形成された第１頂板３２の頂部に第１窓孔３３を有し、又第１頂板半径方向の中間部に複数の第２窓孔３４を有する。又第１頂板外周部からは外筒３５と内筒３６とを垂下する。外筒３５は内筒３６よりも下方まで垂下させ、その下端内面に第２係合突条３７を周設している。
【００１６】
４１は、第２蓋板で上記第１頂板３２の下面に重ねたテーパ状の第２頂板４２頂部から、上記第１窓孔３３内に挿通させて上端にリング４３を付設した把手４４を起立する。図示例で該把手は、棒状筒部４５と該棒状筒部の上部内へ緊密に嵌着させた嵌合棒４６を垂下するリング４３とで形成している。又第２頂板４２外周部は、外向きフランジ４７を上端外周に有する断面凹字形状部４８に形成して、該断面凹字状部上面に形成された凹溝内へ既述内筒３６を、かつ内外両筒３６，３５　間上部へ外向きフランジ４７を嵌着させ、該外向きフランジよりも下方の外筒部分内面と、断面凹字形状部４８の外面との間へ、既述支持筒２１の上部を、外筒下端内面へ周設した第２係合突条３７を第１係合突条２５下面へ係合させて抜出し不能に嵌合させている。
【００１７】
更に断面凹字形状部４８の内周部上端と、把手４４下端外周部とには第１、第２肉薄ヒンジ４９，５０　を周設しており、又既述第２窓孔３４を閉塞する第２頂板部分間の第２頂板部分に第３窓孔５１を穿設している。
【００１８】
上記第１、第２肉薄ヒンジ４９，５０　間の第２頂板部分は、弾性反転可能に形成し、図２右半が示すように把手４４を押下げたとき、下方へ弾性反転して第１頂板３２下面から第２頂板４２が離れて、上記各窓孔が開き、又図２左半が示すように把手４４を上方へ引上げたとき、上記第１、第２肉薄ヒンジ間の第２頂板部分は上方へ弾性反転して第１、第２窓孔３３，３４　を第２頂板４２および把手下端部が、又第３窓孔５１を第１頂板３２が閉塞可能に形成している。
【００１９】
既述吸上げ芯材１０およびパッド１１を除く各部材はそれぞれ合成樹脂材で形成している。
【００２０】
既述構成において、図１および図２の左半が示すように、把手４４上方引上げにより第１頂板３２と第２頂板４２とが重なって、第１、第２、第３窓孔３３，３４，５１がそれぞれ閉塞された状態にあっては、支持筒２１上部に穿設した第４窓孔２６から、吸上げ芯材１０を介して吸上げられ、パッド１１に吸収された芳香液等が気化し放出され、該第４窓孔を設けなければ放出を停止させることが出来る。次いで把手４４押下げにより図２右半のように第１、第２肉薄ヒンジ４９，５０　間の第２頂板部分を弾性反転させて第１頂板３２下面から第２頂板４２を離すと、第１、第２、第３窓孔３３，３４，５１を通って芳香等が放出されることとなる。
【００２１】
【発明の効果】
本発明は既述構成とするものであり、請求項１記載のようにすることで、把手４４を下方へ押下げ、又上方へ引上げて第１、第２肉薄ヒンジ間の第２頂板部分を弾性反転させることで第１、第２、第３窓孔３３，３４，５１を開閉でき、芳香等の放出量を調整でき、又その操作を極めて簡便に行うことが出来る。
【００２２】
請求項２のようにすることで、第１頂板３２と第２頂板４２との各外周部の接合を容易かつ確実に行うことが出来、又それ等第１、第２頂板を有する第１蓋体３１と第２蓋体４１とで支持筒２１の上面を閉塞させることが容易である。
【００２３】
請求項３のようにすることで、第１から第３までの窓孔閉塞状態にあっては第４窓孔２６を介して微量の芳香等を常時放出させ、又必要に応じて第１から第３までの窓孔も開口させることが出来、よって例えば閉切りの部屋、又開放させたままの部屋等、部屋の状況に応じて芳香等放出量を変えることが出来る便利がある。
【００２４】
請求項４記載のようにすることで、使用に便利な芳香等放出容器とすることが出来る。
【図面の簡単な説明】
【図１】本発明容器要部の斜視図である。
【図２】図１容器要部の断面図で、図右半は把手押下げ状態を、又図左半は把手引上げ状態を示すものである。
【符号の説明】
１…容器体　　　　　　　　　　　　　　１０…吸上げ芯材
１１…パッド　　　　　　　　　　　　２１…支持筒
【図１】
2004113604.tif 000003
【図２】
2004113604.tif 000004